(57)【要約】      （修正有）【課題】締め紐付き袋の紐が強く結ばれた場合でも容易に解ける方法に使用する包装用袋結束補助具を提供する。【解決手段】締め紐が付いた袋２の締め紐２１を結ぶとき、双方の紐を交差させ、交差した紐の一方をリング状の補助具１の孔に通し、孔を通した紐と他の紐を再度交差させて双方の紐を引っ張り結束し、締め紐２１を解くとき、リング状の補助具１を引っ張ることにより、容易に締め紐２１が解ける方法に使用する。【選択図】図６
0003200482.tif 000002
【実用新案登録請求の範囲】
【請求項１】
締め紐が付いた袋の締め紐を結ぶとき、双方の紐を交差させ、交差した紐の一方をリング状の補助具の孔に通し、孔を通した紐と他の紐を再度交差させて双方の紐を引っ張り結束し、締め紐を解くとき、リング状の補助具を引っ張ることにより、容易に締め紐が解ける方法に使用する包装用袋結束補助具。
【請求項２】
外形が、円形又は多角形である請求項１の包装用袋結束補助具。
【請求項３】
金属製又はプラスチック製の請求項１又は請求項２のいずれかの包装用袋結束補助具。
【考案の詳細な説明】
【技術分野】
【０００１】
本考案は、紐が強く結ばれた場合でも容易に解ける補助具に関するものである。
【背景技術】
【０００２】
本考案者は、永年米作農業を営み、自ら脱穀・精米工場を有し、農業協同組合等の卸売り業者だけでなく、直接に最終消費者へ精米を供給している。玄米・精米(以下、精米等とする)は、締め紐付き紙袋に入れ流通される。この紙袋は、５Ｋｇ入りから、大きいものでは３０Ｋｇ入りのものが用意されている。精米等が入った紙袋は、結ばれた締め紐をつかみ持ち運びするため、精米等の重量で、締め紐は、持ち運びの都度強く結束され、紙袋を開くため、締め紐を解こうとするとき、なかなか解くことができず、時間が掛かってしまう。その作業時間のロスは大きく、時には、締め紐をカッタ等で切ってしまい、締め紐付き紙袋が再利用できない場合もある。
【０００３】
そこで、本考案者は、締め紐付きの紙袋を開くときに、より容易に短時間で強く結ばれた締め紐を解く方法はないか思案していた。一方、結ばれた締め紐をつかみ持ち上げたときに、締め紐が容易に解け、紙袋が開いてしまい精米等がこぼれてしまってはならない。
そして、本考案者は、試行錯誤の結果、簡単な補助具で、締め紐付き紙袋の締め紐を締めることができ、精米等の重量で締め紐が強く結ばれても容易に解くことができる方法に使用する紐解き補助具を考案した。そして、本考案は、精米等に使用する締め紐付き紙袋だけでなく、レジ袋他締め紐が付いた袋にも使用できることが分った。
【０００４】
関連する先行技術文献を検索すると以下のようなものが見受けられた
穴または、C形S形形状の外側または、内側に凸部を複数持たせた荷締め具であることを特徴とし、紐、ロープの一端を荷締め具の穴を通して出し、小さい輪を作り、半ひねりして荷締め具の凸部に引っ掛け、紐、ロープの反対側を梱包物に巻いて、再度荷締め具の穴に紐、ロープを通して引張り荷を締めて、もう一方の凸部に同じ様に輪を作り半ひねりした紐、ロープを引っ掛けて作業は終了する荷締め具（特許文献１）、ビニールハウス内の上方部適所に着脱自在に掛け止めし得る掛止め部を備えた吊り紐固定装置部に螺旋状に溝幅が次第に狭くなる巻溝を刻設して、その巻溝に吊り紐を巻回し、巻溝に食い込ませる事により吊り紐を係り止め固定できる吊り紐結び止め具（特許文献２）、更に、既設の結びはそのままで、結びを解くことなく、緩んだ紐やロープなどに、簡単形状の止め具を引っかけて、ホルダーハンドルを回して紐やロープ自身に捻りを与えて縮ませ、既設の紐やロープなどの張力調整をした後、止め具のアームを紐やロープなど自身に引っかけて固定する物であり。使用操作が簡単手軽で使い捨てできる巻回し結び止め具（特許文献３）等があった。
【０００５】
これらの先行技術文献では、紐やロープを締め付ける荷締め具あるいは紐結び止め具であり、また、緩んだ紐やロープの張力調整をする巻回し結び止め具であり、本考案と直接的な関連性はなかった。
【先行技術文献】
【特許文献】
【０００６】
【特許文献１】特開２００７−３０２２６３号公報
【特許文献２】特願２０００−３８９５６７号公報
【特許文献３】特開２００６−２３２２７９号公報
【考案の概要】
【考案が解決しようとする課題】
【０００７】
本考案の解決しようとする課題は、締め紐付き紙袋等の紐が強く結束された場合でも容易に解ける方法に使用する紐解き補助具の提供である
【課題を解決するための手段】
【０００８】
すなわち、第１考案は、締め紐が付いた袋の締め紐を結ぶとき、双方の紐を交差させ、交差した紐の一方をリング状の補助具の孔に通し、孔を通した紐と他の紐を再度交差させて双方の紐を引っ張り結束し、締め紐を解くとき、リング状の補助具を引っ張ることにより、容易に締め紐が解ける方法に使用する包装用袋結束補助具である。
【０００９】
締め紐が付いた袋には、前記のような精米等に使用され紙袋だけでなく、身近では、スーパーマーケットで使用するポリ袋いわゆるレジ袋等も含まれる。袋の開口部を締めるために袋に紐あるいは締め紐付きの紙袋紐状のものが付いているものを締め紐が付いた袋とする。精米等に使用される紙袋やレジ袋の例を図１及び図２に示す。
【００１０】
紐は、一般的には図３に示すような本結びといわれる順序で締められる。先ず、双方の紐４の先端４１を交差させ（図３の(1)〜(3)  以下、下締めとする）、更に交差させた紐の先端４１を交差させ（図３の(4)〜(6)  以下、上締めとする）、紐の先端を引っ張り結束させる。
【００１１】
本考案においては、下締めした後、紐の一方の先端４１をリング状の補助具である包装用袋結束補助具１の孔に通し、上締めする。これを図４に示す。
【００１２】
リング状としたのは、紐が通る孔があることを表すためであり、包装用袋結束補助具の形状は、円形あるいは多角形とすることは任意である。
【００１３】
下締めした後、一方の紐の先端４１を包装用袋結束補助具１に通し、上締めし、紐４を結束する。そして、締め紐が付いた袋に重量物が入った袋の結束した紐をつかみ持ち上げても、紐は解けることはなく、重量により更に紐の結束は強くなる。このように使用した後、包装用袋結束補助具１をつかみ、これを引っ張ることにより容易に紐が解けることを経験的に知り、このリング状の補助具である包装用袋結束補助具１を本願の保護対象とするものである。
【００１４】
続いて、第２考案は、外形が、円形又は多角形である第１考案の包装用袋結束補助具である。
【００１５】
「外形が」としたのは、紐を通す孔は円形又多角形いずれも任意であり、包装用袋結束補助具の外形が円形又は多角形であることを表すためである。円形には、真円形だけでなく楕円形も含まれ、多角形には、正方形、長方形だけでなく、６角形等の形状も含まれる。本願の保護対象である包装用袋結束補助具１は、手の中に容易に納まる形状であり、更に消耗品とまでは言えないが、数多く用いられるものであり、形状を任意にして、生産コストを下げるためである。尚、図４には、四角形の包装用袋結束補助具１が記載されているが、この形状に限るものではない。
【００１６】
続いて、第３考案は、金属製又はプラスチック製の第１考案又は第２考案のいずれかの包装用袋結束補助具である。
【００１７】
前述のように、本願の保護対象である包装用袋結束補助具は、多量に消費されるものであるが、精米等に使用され紙袋には３０Ｋｇのようなものもあり、強度を必要とする。そこで、金属製又はプラスチック製とするものである。
【考案の効果】
【００１８】
本考案の包装用袋結束補助具は、本考案者が試行錯誤の結果、簡単な補助具で、締め紐付き紙袋の締め紐を締めることができ、精米等の重量で締め紐が強く結ばれても容易に解くことができる方法を見出し、その方法に使用する紐解き補助具を考案したものである。この補助具である、包装用袋結束補助具を使用することにより、結束された紐を容易に解けることができ、袋の開封作業が手間を掛けずに行なうことができる。
【図面の簡単な説明】
【００１９】
【図１】図１は、締め紐付き紙袋の図である。
【図２】図２は、一般的なレジ袋の図である。
【図３】図３は、紐を結束する順序を示す図である。
【図４】図４は、下締めした後、一方の紐の先端をリング状の補助具である包装用袋結束補助具に通した図である。
【図５】図５は、四角形の包装用袋結束補助具の図である。
【図６】図６は、精米が３０Ｋｇ入った締め紐付き紙袋２を包装用袋結束補助具１を用いて結束している図である。
【図７】図７は、結束された締め紐を、包装用袋結束補助具を引っ張り解く図である。
【図８】図８は、レジ袋で包装用袋結束補助具を使用している図である。
【図９】図９は、レジ袋の結束された締め紐を包装用袋結束補助具で解いている図である。
【考案を実施するための形態】
【００２０】
本考案の実施例を以下に挙げる。
【実施例１】
【００２１】
図５は四角形の包装用袋結束補助具１の正面図、側面図、平面図、及び正面図のＡ−Ａ´とＢ−Ｂ´で切断した断面図である。包装用袋結束補助具１を引っ張り易くするため、溝部１１が形成されている。
【実施例２】
【００２２】
図６は、精米が３０Ｋｇ入った締め紐付き紙袋２を包装用袋結束補助具１を用いて結束している図である。精米が入った締め紐付き紙袋２の開口部２２を締め紐の幅に２回折り曲げて、開口部を閉じ、締め紐２１を２回交差させ、一方の締め紐の先端を包装用袋結束補助具１の孔に通し、更に締め紐２１を交差させて、その両方の締め紐を引っ張り結束させる。この結束された締め紐をつかみ持ち上げても、締め紐は緩むことなく、精米の重量で締め紐は、更に強く結束される。
【００２３】
図７は、結束された締め紐を、包装用袋結束補助具１を引っ張り解く図である。図６で使用した締め紐付き紙袋ではないが、紐を結束し、締め紐２１をつかんで数回上げ下げした後、包装用袋結束補助具１の端を指で挟んで引っ張ると、包装用袋結束補助具１は締め紐２１を滑りながら移動し、容易に締め紐２１を解くことができた。
【実施例３】
【００２４】
図８は、レジ袋３で包装用袋結束補助具１を使用している図である。レジ袋の締め紐３１を交差させ、一方のレジ袋の締め紐３１を包装用袋結束補助具１の孔を通し、更にレジ袋の締め紐３１を交差させて引っ張り結束する。
【００２５】
図９は、レジ袋の結束された締め紐を包装用袋結束補助具で解いている図である。前述と同様に、包装用袋結束補助具１を引っ張ることにより、容易に結束された締め紐３１を解くことができた。
【００２６】
本願の保護対象である包装用袋結束補助具は、締め紐付き紙袋やレジ袋だけでなく、紐と紐を結び結束した後これを解くときには使用できることを付記しておく。
【産業上の利用可能性】
【００２７】
紐が強く結ばれた場合でも容易に解ける包装用袋結束補助具を提供するものであり、日常生活に是必要な部品であり、多くの需要が期待される。
【符号の説明】
【００２８】
１  包装用袋結束補助具  １１  溝部
２  締め紐付き紙袋  ２１締め紐  ２２  (締め紐付き紙袋の)開口部
３  レジ袋  ３１ レジ袋の締め紐  ３２  (レジ袋の)開口部
４  紐  ４１  紐の先端
【図１】
0003200482.tif 000003
【図２】
0003200482.tif 000004
【図３】
0003200482.tif 000005
【図４】
0003200482.tif 000006
【図５】
0003200482.tif 000007
【図６】
0003200482.tif 000008
【図７】
0003200482.tif 000009
【図８】
0003200482.tif 000010
【図９】
0003200482.tif 000011